(57)【要約】【課題】  害虫を電撃格子の電気ショックで殺虫し、殺虫した虫やその破片を捕虫シートによって捕捉して、害虫が、飛散、落下することのない殺虫器を提供することを目的としている。【解決手段】  下部に配置した虫受皿の上部中央に、電撃格子を架設し、これに並列して捕虫ランプを架設すると共に、前記虫受皿の縁部へ捕虫シートを電撃格子と並列して立設し、該捕虫シートの外側へカバーを設置したことを特徴とすることを特徴とする捕虫シート付飛散防止型電撃殺虫器によって課題を解決した。【選択図】        図１
0003102554.tif 000002
【実用新案登録請求の範囲】
【請求項１】
下部に配置した虫受皿の上部中央に、電撃格子を架設し、これに並列して捕虫ランプを架設すると共に、捕虫シートを電撃格子と並列して立設し、該捕虫シートの外側へカバーを設置したことを特徴とすることを特徴とする捕虫シート付飛散防止型電撃殺虫器。
【請求項２】
下部に配置した虫受皿の上部中央に、電撃格子を架設し、これに並列して捕虫ランプを架設すると共に、捕虫シートを電撃格子と並列して立設し、該捕虫シートの外側へカバーを設置し、前記捕虫シートの上端縁は、前記電撃格子の最上部より高く設定したことを特徴とする捕虫シート付飛散防止型電撃殺虫器。
【請求項３】
下部に配置した虫受皿の上部中央に、電撃格子を架設し、これに並列して捕虫ランプを架設すると共に、捕虫シートを電撃格子と並列して立設し、該捕虫シートの外側へカバーを設置し、前記捕虫シートの下端縁は前記虫受皿の上端よりも低く設定したことを特徴とする捕虫シート付飛散防止型電撃殺虫器。
【請求項４】
下部に配置した虫受皿の上部中央に、電撃格子を架設し、これに並列して捕虫ランプを架設すると共に、捕虫シートを電撃格子と並列して立設し、該捕虫シートの外側へカバーを設置し、前記捕虫ランプは、電撃格子の外側に架設したことを特徴とする捕虫シート付飛散防止型電撃殺虫器。
【考案の詳細な説明】
【技術分野】
【０００１】
この考案は、電撃格子を用いた殺虫器に関し、特に、電撃ショックを受けた後の虫及び飛来した虫を捕虫シートによって捕捉し、これらの虫が落下することのない電撃殺虫器に関する。
【背景技術】
【０００２】
従来、運動施設やグランド、調理室や厨房等において蝿等の害虫を駆除する器具として、高電圧が通電される電撃格子を備え、当該電撃格子に触れることによって殺虫した害虫を虫受皿上に捕集する形式の殺虫器が用いられている。また、粘着シートによって飛来した害虫を捕捉する形態の駆除装置も用いられている。
【考案の開示】
【考案が解決しようとする課題】
【０００３】
前記従来の電撃格子を用いた形式の殺虫器は、害虫が電撃格子の周囲に飛来し、接近したり、接触したりすることによって放電し、その電撃力によって殺虫されるものであるが、電撃力を受けた害虫がその衝撃力により弾き飛ばされて、虫受皿外に飛び出したり、電撃力を受けても死ななかった害虫が弱々しく飛び立って、殺虫器外側の近辺へ落下する問題があった。
【０００４】
近年、ＨＡＣＣＰ（Ｈａｚａｒｄ  Ａｎａｌｙｓｉｓ  Ｃｒｉｔｉｃａｌ  Ｃｏｎｔｒｏｌ  Ｐｏｉｎｔ：危害分析重要管理事項）の導入等、食品衛生の重要性が益々叫ばれているが、前記のように従来の電撃格子を用いた殺虫器では虫受皿から害虫が飛び出るおそれがあり、このようなことを防止するように保健所等から指導を受け、このような形式の殺虫器の設置が見送られる傾向があった。
【課題を解決するための手段】
【０００５】
この考案の殺虫器は、電撃格子を備えた殺虫器に、電撃格子の電撃力により殺虫し、又はダメージを与えた害虫、飛来した害虫を粘着性の捕虫シートによって捕集することによって、前記従来の殺虫器の問題点を解決したのである。
【０００６】
すなわち、この考案は、下部に配置した虫受皿の上部中央に、電撃格子を架設し、これに並列して捕虫ランプを架設すると共に、捕虫シートを電撃格子と並列して立設し、該捕虫シートの外側へカバーを設置したことを特徴とすることを特徴とする捕虫シート付飛散防止型電撃殺虫器である（請求項１）。
【０００７】
また、下部に配置した虫受皿の上部中央に、電撃格子を架設し、これに並列して捕虫ランプを架設すると共に、捕虫シートを電撃格子と並列して立設し、該捕虫シートの外側へカバーを設置し、前記捕虫シートの上端縁は、前記電撃格子の最上部より高く設定したことを特徴とする捕虫シート付飛散防止型電撃殺虫器（請求項２）であり、下部に配置した虫受皿の上部中央に、電撃格子を架設し、これに並列して捕虫ランプを架設すると共に、捕虫シートを電撃格子と並列して立設し、該捕虫シートの外側へカバーを設置し、前記捕虫シートの下端縁は前記虫受皿の上端よりも低く設定したことを特徴とする捕虫シート付飛散防止型電撃殺虫器である（請求項３）。さらに、下部に配置した虫受皿の上部中央に、電撃格子を架設し、これに並列して捕虫ランプを架設すると共に、捕虫シートを電撃格子と並列して立設し、該捕虫シートの外側へカバーを設置し、前記捕虫ランプは、電撃格子の外側に架設したことを特徴とする捕虫シート付電撃殺虫器である（請求項４）。
【考案の効果】
【０００８】
この考案の殺虫器は、下部に配置した虫受皿の上部に、捕虫ランプと電撃格子を架設すると共に、当該電撃格子の外周に捕虫シートを設置した構成としたので、捕虫ランプによって、害虫を電撃格子の周辺へ誘引し、また、電撃格子の周囲に取り付けた捕虫シートによって、電撃力を受けた害虫を確実に捕捉することができ、害虫を虫受皿外に落下させるおそれがない。
【０００９】
また、捕虫シートは、その上端縁が、電撃格子の最上部より高くなるように設定し、さらに、その下端縁が虫受皿の上端よりも低くなるように設定したので、殺虫器本体の外部へ害虫が飛散することを確実に防止することができる。
【００１０】
従って、殺虫器を設置した外周の環境を汚すことがなく、衛生的である。
【考案を実施するための最良の形態】
【００１１】
この考案の殺虫器は、下部に配置した虫受皿の上部中央に、電撃格子を架設し、これに並列して捕虫ランプを架設すると共に、捕虫シートを電撃格子と並列して立設し、該捕虫シートの外側へカバーを設置したことを特徴とすることを特徴とする捕虫シート付電撃殺虫器である。
【００１２】
ここで、前記捕虫シートの上端縁は、前記電撃格子の最上部より高くする。これにより、電撃格子に接触した後、弱々しく飛び立とうとする害虫を効率よく捕捉することができる。
【００１３】
また、前記捕虫シートの下端縁は前記虫受皿の上端よりも低く設定する。これにより、害虫が虫受皿に落下するまでに殺虫器の外部へ飛散することを確実に防止でき、さらに、一旦、虫受皿に落下した害虫が再び飛び立とうとしても、捕虫シートによって、確実に捕捉することができる。
【００１４】
また、前記捕虫ランプは、電撃格子の外側に架設することができる。
【００１５】
殺虫器の形状は、四角形や円形等の形状とすることができるが、この殺虫器の形状に応じて捕虫ランプと電撃格子の形状、配置を適宜変更することができる。
【００１６】
例えば、殺虫器の形状を四角形とした場合には、捕虫ランプと電撃格子を並列架設することができる。このとき、捕虫ランプと電撃格子の並べる順番、数、形状は、特に制限はなく、例えば、四角形の殺虫器の中心線上に電撃格子を配置し、その両側に１本ずつ棒状の捕虫ランプを配置するのが最適である。また、四角形の殺虫器の中心線上に棒状の捕虫ランプを配置し、その両側に電撃格子を配置することもできる。
【００１７】
また、殺虫器の形状を円形とした場合には、中心に電撃格子を配置し、その周囲に輪状の捕虫ランプを配置することができる。
【００１８】
前記捕虫シートは、シート状の基材の表面に接着剤等を塗布した粘着テープ様のものである。この捕虫シートは交換可能である。
【００１９】
また、この考案の殺虫器では、捕虫シートは、前記電撃格子の周囲に設置する。ここで、電撃格子は、前記のように捕虫ランプと並列する等して配置されるので、捕虫シートは、常時、これらの電撃格子、捕虫ランプの外側に設置し、害虫が虫受皿外へ飛び出るのを未然に防止する。
【００２０】
例えば、前記の例で、殺虫器の形状を四角形とした場合に、四角形の殺虫器の中心線上に電撃格子を配置し、その両側に１本ずつ棒状の捕虫ランプを配置した場合は、さらにその両側に捕虫シートを並列して設置することができる。
【００２１】
また、殺虫器の形状を円形とした場合に、中心に電撃格子を配置し、その周囲に輪状の捕虫ランプを配置し、当該捕虫ランプのさらに外側に捕虫シートを設置する。
【００２２】
前記捕虫ランプとしては、ブラックランプを採用することができる。
【００２３】
前記トランスは、設置場所等によって適宜その電圧、性能を選択することができるが、室内で使用する殺虫器の場合には、２７００Ｖ程度の電圧であっても、十分である。
【００２４】
前記捕虫ランプ、電撃格子、捕虫シート、トランスは、外部から見えることがないようにケース内に収容されていることが望ましい。
【００２５】
このケースは、害虫が入り込むことができる開口部又はスリット等を備えており、内部に捕虫ランプ、電撃格子、トランスを内蔵できるものであれば、どのような形状であっても良い。
【００２６】
ただし、電撃格子に接近し、又は触れて飛び散った害虫を確実に捕捉できることを考慮してケースの寸法、ケース内の電撃格子の配置位置を決定することを要する。
【００２７】
また、前記虫受皿は、ケースと一体的な構造とすることができるが、脱着自在として、清掃を容易とすることが望ましい。
【実施例】
【００２８】
以下、この考案の実施例について、図面を参照しつつ説明する。図１は、殺虫器１の構成を説明する分解斜視図である。図２は、図１図示の殺虫器１の組み立てた状態の斜視図である。図３は、図２におけるＡ−Ａ線断面説明図である。図４（ａ）は、殺虫器１の図３におけるＢ−Ｂ線断面説明図である。図４（ｂ）は、図４（ａ）におけるＣ部の拡大説明図である。図５は、殺虫器１の虫受皿２を外し、さらに上部カバー１６の片側の開閉部１８を開けた状態の斜視図である。
【００２９】
［構成］
この考案の殺虫器１は、下部に配置した虫受皿２の上部に、電撃格子４を架設し、ブラックランプ（捕虫ランプ）３、３を架設すると共に、前記捕虫ランプ３、３の両外側に捕虫シート５、５を設置し、さらに、電撃格子４に接続したトランス（不図示）を備えている。
【００３０】
これらの構成要素は、図示のように、４枚の楕円形の側蓋６ａ、６ｂを平行に配置し、この側蓋６ａ、６ｂを２本の支持パイプ７、７と上部補強材１４で連結して構成したフレーム８に架設する。
【００３１】
ここで、ブラックランプ３、３、電撃格子４は、側蓋６ａ、６ｂに固定するが、捕虫シート５、５は、側蓋６ａ、６ｂに脱着自在に取り付ける。
【００３２】
捕虫シート５、５を側蓋６ａ、６ｂに脱着自在に取り付け、交換可能とするために、側蓋６ａには内側面にフック１５、１５を取り付けてあり、６ｂには装着部１６、１６をそれぞれ設ける。また、捕虫シート５、５を、図６図示のように片面に粘着物質５ａを塗布したシートの一端に掛止穴５ｂを設け、他端に前記装着部１６に掛止するブロック５ｃを取り付ける。
【００３３】
このブロック５ｃを側蓋６ｂに設けた装着部１６に掛止し、側蓋６ａに取り付けたフック１５に掛止穴５ｂを掛止するようにすれば、捕虫シート５、５を脱着自在とすることができる。
【００３４】
また、捕虫シート５、５の上端縁５ｃは、電撃格子４の上縁よりも高く位置し、下端縁５ｄは、虫受皿２の上縁２ａよりも低く位置するように装着する（図４（ａ）参照）。
【００３５】
側蓋６ａ、６ｂは、内部に空間を有しており、トランス、その他の部品は、この空間内に収容した。
【００３６】
以上のようにブラックランプ３、３、電撃格子４、捕虫シート５、５、トランスを架設したフレーム８には、上部補強材１４に上部カバー１６を装着する。この上部カバーは、両側に蝶番１７、１７を介して開閉部１８、１８を取り付けてある。開閉部１８、１８は、複数のスリット１８ａ、１８ａを備えており、このスリット１８ａ、１８ａから害虫が殺虫器１の内部に入り込むことができるようになっている。
【００３７】
また、開閉部１８、１８の裾縁には、虫受皿２を掛止する掛止突起１９ａ、１９ａを備えた弾性片１９、１９を取り付けてある。
【００３８】
虫受皿２の両側には、閉じた状態の開閉部１８、１８の掛止突起１９ａ、１９ａに対応する位置に掛止穴２ａ、２ａが設けてある。
【００３９】
この虫受皿２は、脱着自在のものであるが、虫受皿２は殺虫器１に装着したときに、殺虫器１のメインのスイッチが入るようになっている。このため、虫受皿２が外されており、電撃格子４が露出した状態では、通電されることがないので、安全性が確保されている。
【００４０】
また、虫受皿２は、閉じた状態の開閉部１８、１８の掛止突起１９ａ、１９ａに掛止して殺虫器１に装着するものであるから、上部カバー１６の開閉部１８、１８を閉じた状態でなければ、虫受皿２を装着することができない。
【００４１】
これは、換言すれば、開閉部１８、１８は、虫受皿２を取り外し、メインのスイッチが切れて、電撃格子の通電がストップした状態でなければ開けることができず、安全性が確保されている。
【００４２】
以上のように構成された殺虫器１の寸法は、Ｗ×Ｄ×Ｈが８００×５００×２００（ｍｍ）である。また、トランスの出力は２７００Ｖの低電圧仕様である。
【００４３】
［使用方法］
殺虫器１は、厨房等の天井へ、吊り下げ紐によって吊り下げ、ブラックランプ３、３を点灯し、電撃格子４に通電して蝿等の害虫が飛来するのを待機する状態としておく。
【００４４】
蝿等の害虫は、ブラックランプ３、３の光におびき寄せられて、上部カバー１６のスリット１８ａ、１８ａから殺虫器１の内部に入り込む。殺虫器１内に入り込んだ害虫は、電撃格子４に接近し、または接触すると、電気ショックにより、殺虫され、または弱まる。
【００４５】
このように殺虫され、または弱まった害虫は、虫受皿２内に落下して捕集されるか、弱々しく飛び立とうとしても電撃格子４の両側に取り付けた捕虫シート５、５の粘着物質５ａに絡め取ら、殺虫器１の外部へ飛散させることなく確実に捕集される。
【００４６】
害虫は、電気ショックによって、羽根等が飛び散ることもあるが、このように飛び散った羽根等も、同様に捕虫シート５、５の粘着物質５ａに絡め取られる。
【００４７】
害虫はこのように捕虫され、羽根等も捕虫シート５、５の粘着物質５ａに絡め取られるため、厨房内等、殺虫器の外側付近を汚すおそれがない。
【００４８】
虫受皿２は、定期的に殺虫器１から取り外して、洗浄すればよく、捕虫シート５、５も定期的に交換すれば、害虫の捕集能力が低下することがないので厨房内を清潔に保つことができる。
【００４９】
また、一度捕虫シート５、５で捕集した害虫やその羽根等は、飛び散ることがないので、厨房内を清潔に保つのより効果的である。
【００５０】
以上、この考案の好ましい実施例を添付図面を参照して説明したが、この考案はかかる実施例に限定されるものではなく、実用新案登録請求の範囲の記載から把握される技術的範囲において種々な形態に変更可能である。
【図面の簡単な説明】
【００５１】
【図１】殺虫器の構成を説明する分解斜視図。
【図２】図１図示の殺虫器の組み立てた状態の斜視図。
【図３】図２におけるＡ−Ａ線断面説明図。
【図４】（ａ）は、殺虫器の図３におけるＢ−Ｂ線断面説明図。（ｂ）は、図４（ａ）におけるＣ部の拡大説明図。
【図５】殺虫器の虫受皿を外し、さらに上カバーの片側を開けた状態の斜視図。
【図６】殺虫器１に取り付けられる捕虫シートの斜視図。
【符号の説明】
【００５２】
１  殺虫器
２  虫受皿
３  ブラックランプ
４  電撃格子
５  捕虫シート
７  支持パイプ
【図１】
0003102554.tif 000003
【図２】
0003102554.tif 000004
【図３】
0003102554.tif 000005
【図４】
0003102554.tif 000006
【図５】
0003102554.tif 000007
【図６】
0003102554.tif 000008